(57)【特許請求の範囲】
【請求項１】
建物の開口部の左右方向に可動可能に配置される２本の可動部材と、それらの可動部材のそれぞれの移動に伴って開幕或いは閉幕する折畳み伸縮自在なプリーツ状の網目部材と、前記各可動部材の移動時の揺動を防止するように掛け渡される３本のワイヤーよりなるワイヤーテンション機構とを備えた組付け網戸装置であって、第１の可動部材は、第１のワイヤーの張力と第２のワイヤーの張力によって、起立して可動するように配置され、第２の可動部材は、第２のワイヤーの張力と第３のワイヤーの張力によって、起立して可動するように配置されていると共に、
前記第１のワイヤーの一端を前記開口部の左方下部に固定するとともに、他端を前記第１の可動部材の下部から上部に通して前記開口部の右方上部に固定し、前記第２のワイヤーの一端を前記開口部の左方上部に固定するとともに、前記第１の可動部材の上部から下部に通した他端を、前記第２の可動部材の下部から上部に通して前記開口部の右方上部に固定し、前記第３のワイヤーの一端を前記開口部の左方上部に固定するとともに、他端を前記第２の可動部材の上部から下部に通して前記開口部の右方下部に固定したことを特徴とする組付け網戸装置。
【請求項２】
建物の開口部の左右方向に可動可能に配置される２本の可動部材と、それらの可動部材のそれぞれの移動に伴って開幕或いは閉幕する折畳み伸縮自在なプリーツ状の網目部材と、前記各可動部材の移動時の揺動を防止するように掛け渡される３本のワイヤーよりなるワイヤーテンション機構とを備えた組付け網戸装置であって、第１の可動部材は、第１のワイヤーの張力と第２のワイヤーの張力によって、起立して可動するように配置され、第２の可動部材は、第２のワイヤーの張力と第３のワイヤーの張力によって、起立して可動するように配置されていると共に、
前記第１のワイヤーの一端を前記開口部の左方上部に固定するとともに、他端を第１の可動部材の上部から下部に通して前記開口部の右方下部に固定し、前記第２のワイヤーの一端を前記開口部の左方下部に固定するとともに、前記第１の可動部材の下部から上部に通した他端を、前記第２の可動部材の上部から下部に通して前記開口部の右方下部に固定し、前記第３のワイヤーの一端を前記開口部の左方下部に固定するとともに、他端を前記第２の可動部材の下部から上部に通して前記開口部の右方上部に固定したことを特徴とする組付け網戸装置。
【請求項３】
前記開口部の上部に取付けられた上部ガイド部材と、前記開口部の下部に取付けられた下部ガイド部材とを備えた請求項１に記載の組付け網戸装置において、前記第１のワイヤーの一端は前記下部ガイド部材の左部に固定され、前記第１のワイヤーの他端は前記上部ガイド部材の右部に固定され、前記第２のワイヤーの一端は前記上部ガイド部材の左部に固定され、前記第２のワイヤーの他端は前記上部ガイド部材の右部に固定され、前記第３のワイヤーの一端は前記上部ガイド部材の左部に固定され、前記第３のワイヤーの他端は前記下部ガイド部材の右部に固定されていることを特徴とする組付け網戸装置。
【請求項４】
前記開口部の左部に取付けられた左竪部材と、前記開口部の右部に取付けられた右竪部材とを備えた請求項１に記載の組付け網戸装置において、前記第１のワイヤーの一端は前記左竪部材の下部に固定され、前記第１のワイヤーの他端は前記右竪部材の上部に固定され、前記第２のワイヤーの一端は前記左竪部材の上部に固定され、前記第２のワイヤーの他端は前記右竪部材の上部に固定され、前記第３のワイヤーの一端は前記左竪部材の上部に固定され、前記第３のワイヤーの他端は前記右竪部材の下部に固定されたことを特徴とする組付け網戸装置。
【発明の詳細な説明】
【０００１】
【産業上の利用分野】
この発明は、一般住宅あるいはオフィスビルなどの建物の窓等の開口部に組み付けられる組付け網戸装置に関する。
【０００２】
【従来の技術】
この種の組付け網戸装置として、従来、例えば図４に示すように、建物の窓等の開口部に設けられた開口枠、例えば上枠２と下枠３と左縦枠４と右縦枠５とで枠組みされたサッシ枠１に組付け網戸装置本体１０を組み付けるようにしたものが知られている。
この網戸装置本体１０は、左右の両縦枠４，５にそれぞれ取付けられる第１の固定部材１１及び第２の固定部材１２と、これら両固定部材１１，１２間に、左右開閉方向ＸＸに移動自在に取り付けられる第１及び第２の可動部材１３，１４と、可動部材１３，１４間に取り付けられて可動部材１３，１４の開閉移動に追従して開幕或は閉幕するプリーツ状の折畳み伸縮自在な網目部材１５とから構成されている。
【０００３】
この網戸装置本体１０には、可動部材１３，１４の開閉方向ＸＸへの移動時の揺動を防止して、円滑な移動及び自立走行を可能とするワイヤーテンション機構（自立ワイヤーテンション機構ともいう。）２０が設けられていた。
該自立ワイヤーテンション機構２０は、第１及び第２の可動部材１３，１４を介して第１及び第２の固定部材１１，１２間に掛け渡される第１，第２，第３及び第４のワイヤー２１，２２，２３，２４とからなっていた。
前記第１のワイヤー２１は略Ｚ字型に配線され、その一端２１ａを一方の固定部材１１の上部に固定Ａするとともに、その他端２１ｂをローラ（図示せず）を介して第１の可動部材１３の上部から下部に通し、他方の固定部材１２の下部に固定Ｂしていた。
また、第２のワイヤー２２も略Ｚ字型に配線され、その一端２２ａを一方の固定部材１１の上部に固定Ｃするとともに、その他端２２ｂをローラ（図示せず）を介して、第２の可動部材１４の上部から下部に通し、他方の固定部材１２の下部に固定Ｄしてなっていた。
また、前記第３のワイヤー２３は略逆Ｚ字型に配線され、その一端２３ａを一方の固定部材１１の下部に固定Ｅするとともに、その他端２３ｂをローラ（図示せず）を介して第１の可動部材１３の下部から上部に通し、他方の固定部材１２の上部に固定Ｆしていた。
また、第４のワイヤー２４も略逆Ｚ字型に配線され、その一端２４ａを一方の固定部材１１の下部に固定Ｇするとともに、その他端２４ｂをローラ（図示せず）を介して、第２の可動部材１４の下部から上部に通し、他方の固定部材１２の上部に固定Ｈしてなっていた。
【０００４】
【発明が解決しようとする課題】
しかしながら、図４に示す従来の網戸装置本体１０では、２本の可動部材に対して２本のワイヤー、即ち、合計４本のワイヤーを使用していたため、網戸装置本体１０を組付ける際の各固定部に対する各ワイヤーの配線作業、固定作業や張力調整作業、網戸装置本体１０をサッシ枠１に組付けた後の各ワイヤーの張力調整作業を煩雑なものにしていた。
【０００５】
この発明は、上記事情に鑑みてなされたもので、２本の可動部材を可動させるのに必要なワイヤーテンション機構のワイヤーを最小本数にし、かつ、掛け渡し方法も簡便なワイヤーテンション機構を備えた組付け網戸装置を提供することを目的とする。
【０００６】
【課題を解決するための手段】
上記目的を達成するため、請求項１に記載の発明のように、建物の開口部の左右方向に可動可能に配置される２本の可動部材と、それらの可動部材のそれぞれの移動に伴って開幕或いは閉幕する折畳み伸縮自在なプリーツ状の網目部材と、前記各可動部材の移動時の揺動を防止するように掛け渡される３本のワイヤーよりなるワイヤーテンション機構とを備えた組付け網戸装置であって、第１の可動部材は、第１のワイヤーの張力と第２のワイヤーの張力によって、起立して可動するように配置され、第２の可動部材は、第２のワイヤーの張力と第３のワイヤーの張力によって、起立して可動するように配置されている。
【０００７】
この発明において、前記第１のワイヤーの一端を前記開口部の左方下部に固定するとともに、他端を前記第１の可動部材の下部から上部に通して前記開口部の右方上部に固定し、前記第２のワイヤーの一端を前記開口部の左方上部に固定するとともに、前記第１の可動部材の上部から下部に通した他端を、前記第２の可動部材の下部から上部に通して前記開口部の右方上部に固定し、前記第３のワイヤーの一端を前記開口部の左方上部に固定するとともに、他端を前記第２の可動部材の上部から下部に通して前記開口部の右方下部に固定して構成されている。
【０００８】
この請求項１に記載の発明において、請求項２に記載の発明のように、前記第１のワイヤーの一端を前記開口部の左方上部に固定するとともに、他端を第２の可動部材の上部から下部に通して前記開口部の右方下部に固定し、前記第２のワイヤーの一端を前記開口部の左方下部に固定するとともに、前記第１の可動部材の下部から上部に通した他端を、前記第２の可動部材の上部から下部に通して前記開口部の右方下部に固定し、前記第３のワイヤーの一端を前記開口部の左方下部に固定するとともに、他端を前記第２の可動部材の下部から上部に通して前記開口部の右方上部に固定して構成されている。
【０００９】
また、請求項３に記載の発明のように、前記開口部の上部に取付けられた上部ガイド部材と、前記開口部の下部に取付けられた下部ガイド部材とを備えた請求項２に記載の組付け網戸装置において、前記第１のワイヤーの一端は前記下部ガイド部材の左部に固定され、前記第１のワイヤーの他端は前記上部ガイド部材の右部に固定され、前記第２のワイヤーの一端は前記上部ガイド部材の左部に固定され、前記第２のワイヤーの他端は前記上部ガイド部材の右部に固定され、前記第３のワイヤーの一端は前記上部ガイド部材の左部に固定され、前記第３のワイヤーの他端は前記下部ガイド部材の右部に固定されていてもよい。
【００１０】
或は、請求項４に記載の発明のように、前記開口部の左部に取付けられた左竪部材と、前記開口部の右部に取付けられた右竪部材とを備えた請求項２に記載の組付け網戸装置において、前記第１のワイヤーの一端は前記左竪部材の下部に固定され、前記第１のワイヤーの他端は前記右竪部材の上部に固定され、前記第２のワイヤーの一端は前記左竪部材の上部に固定され、前記第２のワイヤーの他端は前記右竪部材の上部に固定され、前記第３のワイヤーの一端は前記左竪部材の上部に固定され、前記第３のワイヤーの他端は前記右竪部材の下部に固定されていてもよい。
【００１１】
【作用】
請求項１に記載の組付け網戸装置は、第１及び第２の２本の可動部材に対し、第１乃至第３の３本のワイヤーによりワイヤーテンション機構を構成したので、ワイヤーの使用本数を少なくして、可動部材を機能させることができる。
【００１２】
請求項１及び請求項２に記載の組付け網戸装置のワイヤーテンション機構は、第１及び第２の可動部材を介して、開口部の左方或いは右方の上部或いは下部間に第１乃至第３の各ワイヤーを掛け渡しているので、ワイヤーの使用本数を少なくして可動部材を機能させることができるとともに、配線作業も容易となる。
【００１３】
請求項３に記載の組付け網戸装置のワイヤーテンション機構は、第１及び第２の可動部材を介して、上下のガイド部材の左部或いは右部間に第１乃至第３の各ワイヤーを掛け渡しているので、ワイヤーの使用本数を少なくして可動部材を機能させることができるとともに、配線作業も容易となり、しかも従来の組付け網戸装置のように各固定部材の有無に関係なくワイヤーテンション機構を取り付けることができる。
【００１４】
請求項４に記載の組付け網戸装置のワイヤーテンション機構は、第１及び第２の可動部材を介して、左右の竪部材の上部或いは下部間に第１乃至第３の各ワイヤーを掛け渡しているので、ワイヤーの使用本数を少なくして可動部材を機能させることができるとともに、配線作業も容易となり、また、従来の組付け網戸装置にもそのまま適用することができる。
【００１５】
【実施例】
本発明に係る組付け網戸装置の実施例を図１乃至図３に基づいて説明する。
図１は本発明に係る組付け網戸装置の実施例を示す概略図である。
同図に示すように、建物の開口部１０１に組付けられる組付け網戸装置は、開口部１０１の左右水平方向ＸＸに可動する一対の可動部材１３０，１４０と、これらの可動部材１３０，１４０の開閉移動に追従して折畳み伸縮自在に開幕または閉幕するプリーツ状の網目部材１５０とを備えており、第１の可動部材１３０は、第１のワイヤー２１０と第２のワイヤー２２０の張力によって、起立して可動するように配置され、第２の可動部材１４０は、第２のワイヤー２２０と第３のワイヤー２３０の張力によって、起立して可動するように、配置されている。即ち、第１及び第２の２本の可動部材１３０，１４０に対し、第１乃至第３の３本のワイヤー２１０，２２０，２３０によりワイヤーテンション機構２００を構成したので、可動部材の機能を妨げずにワイヤーの使用本数を少なくすることができるような構成となっている。
【００１６】
建物の前記開口部１０１は、上下枠２，３、左右竪枠４，５、上枠２に取り付けられた上部ガイド部材１０２及び下枠３に取り付けられた下部ガイド部材１０３とからなっている。
このような開口部１０１に対し、第１のワイヤー２１０は、その一端２１０ａを前記開口部１０１の左方下部、即ち、下部ガイド部材１０３の左部に固定Ｉするとともに、第１の可動部材１３０の下部から上部に向けて挿通させた他端２１０ｂを前記網目部材１５０の上方を通過させて前記開口部１０１の右方上部、即ち、上部ガイド部材１０２の右部に固定Ｊしている。
また、第２のワイヤー２２０は、その一端２２０ａを前記開口部１０１の左方上部、即ち、上部ガイド部材１０２の左部に固定Ｋするとともに、他端２２０ｂを第１の可動部材１３０の上部から下部に挿通させ、さらに前記網目部材１５０の下方を経由して第２の可動部材１４０の下部から上部に向けて挿通させ、前記開口部１０１の右方上部、即ち、上部ガイド部材１０２の右部に固定Ｌしている。
さらに、第３のワイヤー２３０は、その一端２３０ａを前記開口部１０１の左方上部、即ち、上部ガイド部材１０２の左部に固定Ｍするとともに、前記網目部材１５０の上方を通過させた他端２３０ｂを第２の可動部材１４０の上部から下部に挿通させて開口部１０１の右方下部、即ち、下部ガイド部材１０３の右部に固定Ｎしている。
【００１７】
この実施例では、上部ガイド部材１０２及び下部ガイド部材１０３を用いて、開口部１０１の左右間にワイヤーテンション機構２００の各ワイヤー２１０，２２０，２３０を掛け渡しているが、開口部１０１の左右上部であれば上枠２の左右各部に固定点を設けてもよいし、また開口部１０１の左右下部であれば下枠３の左右各部に固定点を設けてもよい。
【００１８】
なお、上部ガイド部材１０２は、前記可動部材１３０，１４０が前記開口部１０１の左右方向ＸＸにスムーズに走行できるように、前記可動部材１３０，１４０の上端を組込み、かつ、ガイドするものであり、前記下部ガイド部材１０２は、前記可動部材１３０，１４０が前記開口部１０１の左右方向ＸＸにスムーズに走行できるように、前記可動部材１３０，１４０の下端を組込み、かつ、ガイドするものである。
【００１９】
前記各ワイヤー２１０，２２，２３０の掛け渡し方法としては、図２に示すようなものでもよい。
即ち、第１のワイヤー２１０の一端２１０ａを前記開口部１０１の左方上部に固定Ｏするとともに、他端２１０ｂを第１の可動部材１３０の上部から下部に挿通して、前記網目部材１５０の下方を通過させ、前記開口部１０１の右方下部に固定Ｐする。
また、第２のワイヤー２２０の一端２２０ａを前記開口部１０１の左方下部に固定Ｑするとともに、他端２２０ｂを第１の可動部材１３０の下部から上部に挿通させ、前記網目部材１５０の上方を通過させ、第２の可動部材１４０の上部から下部を経由して、前記開口部１０１の右方下部に固定Ｒする。
また、第３のワイヤー２３０の一端２３０ａを前記開口部１０１の左方下部に固定Ｓするとともに、他端２３０ｂを前記網目部材１５０の下方を通過させ、第２の可動部材１４０の下部から上部に挿通させて前記開口部１０１の右方上部に固定Ｔする。
このような掛け渡し構造でも、従来よりワイヤーの使用本数を少なくして可動部材を機能させることができるとともに、配線作業も容易となる。
【００２０】
上記実施例では、開口部１０１の上下部にそれぞれ上部ガイド部材１０２及び下部ガイド部材１０３を設けたが、開口部１０１の左右側部にそれぞれ左右竪部材１０４，１０５を設け、それらの左右竪部材１０４，１０５を介してワイヤーテンション機構２００を取り付けてもよい。
【００２１】
例えば、図３に示すように、前記第１のワイヤー２１０の一端２１０ａを前記左竪部材１０４の下部に固定Ｕするとともに、他端２１０ｂを第１の可動部材１３０の下部から上部に向けて挿通させ、前記右竪部材１０５の上部に固定Ｖする。
また、前記第２のワイヤー２２０の一端２２０ａを前記左竪部材１０４の上部に固定Ｗするとともに、第１の可動部材１３０の上部から下部に挿通させた他端２２０ｂを前記網目部材１５０の下方を通過させ、第２の可動部材１４０の下部から上部に挿通させて前記右竪部材１０５の上部に固定Ｘする。
また、前記第３のワイヤー２３０の一端２３０ａを前記左竪部材１０４の上部に固定Ｙするとともに、他端２３０ｂを第２の可動部材１４０の上部から下部に挿通させて前記右竪部材１０５の下部に固定Ｚする。
【００２２】
前記実施例では、第１及び第２の可動部材１３０，１４０間に前記網目部材１５０を配置（中開き構造）しているが、第１可動部材１３０と前記左竪部材１０４との間、及び第２可動部材１４０と前記右竪部材１０５との間にそれぞれ網目部材１５０を配置（両片開き構造）するようにしてもよい。
【００２３】
【発明の効果】
請求項１に記載の組付け網戸装置は、第１及び第２の２本の可動部材に対し、第１乃至第３の３本のワイヤーによりワイヤーテンション機構を構成したので、ワイヤーの使用本数を少なくして、可動部材を機能させることができる。
【００２４】
請求項１及び請求項２に記載の組付け網戸装置のワイヤーテンション機構は、第１及び第２の可動部材を介して、開口部の左方或いは右方の上部或いは下部間に第１乃至第３の各ワイヤーを掛け渡しているので、ワイヤーの使用本数を少なくして可動部材を機能させることができるとともに、配線作業も容易となる。
【００２５】
請求項３に記載の組付け網戸装置のワイヤーテンション機構は、第１及び第２の可動部材を介して、上下のガイド部材の左部或いは右部間に第１乃至第３の各ワイヤーを掛け渡しているので、ワイヤーの使用本数を少なくして可動部材を機能させることができるとともに、配線作業も容易となり、しかも従来の組付け網戸装置のように各固定部材の有無に関係なくワイヤーテンション機構を取り付けることができる。
【００２６】
請求項４に記載の組付け網戸装置のワイヤーテンション機構は、第１及び第２の可動部材を介して、左右の竪部材の上部或いは下部間に第１乃至第３の各ワイヤーを掛け渡しているので、ワイヤーの使用本数を少なくして可動部材を機能させることができるとともに、配線作業も容易となり、また、従来の組付け網戸装置にもそのまま適用することができる。
【図面の簡単な説明】
【図１】本発明に係る組付け網戸装置の実施例を示す概略図である。
【図２】本発明に係る組付け網戸装置の実施例の別例による概略図である。
【図３】本発明に係る組付け網戸装置の実施例の別例による概略図である。
【図４】従来例に係る組付け網戸装置の概略図である。
【符号の説明】
１    サッシ枠
２    上枠
３    下枠
４    左縦枠
５    右縦枠
１０    組付け網戸装置本体
１１    第１の固定部材
１２    第２の固定部材
１３，１４  可動部材
１５    網目部材
２０    ワイヤーテンション機構
２１        第１のワイヤー（従来）
２２    第２のワイヤー（従来）
２３        第３のワイヤー（従来）
２４        第４のワイヤー（従来）
２１ａ，２２ａ，２３ａ，２４ａ  一端
２１ｂ，２２ｂ，２３ｂ，２４ｂ  他端
１００  組付け網戸装置
１０１  開口部
１０２  上部ガイド部材
１０３  下部ガイド部材
１０４  左竪部材
１０５  右竪部材
１３０  第１の可動部材
１４０  第２の可動部材
１５０  網目部材
２００  ワイヤーテンション機構
２１０    第１のワイヤー
２２０    第２のワイヤー
２３０  第３のワイヤー
２１０ａ，２２０ａ，２３０ａ  一端
２１０ｂ，２２０ｂ，２３０ｂ  他端
【図１】
0003619272.tif 000002
【図２】
0003619272.tif 000003
【図３】
0003619272.tif 000004
【図４】
0003619272.tif 000005